(57)【要約】【課題】蛍光灯器具に装着できる蛍光灯形ＬＥＤランプは価格が高いため普及が進んでいない。そこで、普及が拡大しているＬＥＤ電球を蛍光灯器具に取り付けることができるＬＥＤ電球保持具を提供する。【解決手段】商用電源コンセント、蛍光灯器具の常夜灯用白熱電球ソケット、蛍光灯ソケット、点灯管ソケットから電源の供給を受け、ＬＥＤ電球が使用できるように、必要に応じ供給された電源を制御する制御回路を持つか若しくは蛍光灯器具の安定器等を改造し、ＬＥＤ電球が使用できるようにした電源をＬＥＤ電球に供給する、首振り可能な電球ソケットを持ち、通常の蛍光灯と同様に蛍光灯器具に着脱可能に装着できるＬＥＤ電球保持具による。【選択図】  図１
2012252999.tif 000002
【特許請求の範囲】
【請求項１】
ＬＥＤ電球が装着可能で、該ＬＥＤ電球が使用可能な電源を供給する電球ソケットが一つ以上固着、及び／または、所定の範囲で首振り可能に一つ以上持着された構造体で、
該構造体は、蛍光灯器具の蛍光灯を保持する部位に固着されるか、または、着脱可能に保持され、
前記電源は、商用電源、前記蛍光灯器具の常夜灯用白熱電球ソケット、前記蛍光灯器具の蛍光灯ソケット、及び前記蛍光灯器具の点灯管ソケットの少なくとも一つから供給を受けることを特徴とするＬＥＤ電球保持具。
【請求項２】
前記蛍光灯器具の前記蛍光灯ソケット、及び前記蛍光灯器具の前記点灯管ソケットの少なくとも一つから前記電源の供給を受ける場合は、
前記電源を前記ＬＥＤ電球が使用可能な電源にするために、前記電源を制御する制御回路を具備するか、または、前記蛍光灯器具が具備する所定の装置を改造することを特徴とする請求項１に記載のＬＥＤ電球保持具。
【請求項３】
ＬＥＤ電球が装着可能で、該ＬＥＤ電球が使用可能な電源を供給する電球ソケットが一つ以上固着、及び／または、所定の範囲で首振り可能に一つ以上持着された構造体で、
該構造体は、直管形蛍光灯器具の少なくとも一対の蛍光灯ソケットに固着されるか、または、着脱可能に保持されることを特徴とする請求項１または請求項２に記載のＬＥＤ電球保持具。
【請求項４】
前記直管形蛍光灯器具の一対の前記蛍光灯ソケットの間を結ぶ略直線の方向に、前記ＬＥＤ電球保持具の前記構造体の長さが調整可能であることを特徴とする請求項３に記載のＬＥＤ電球保持具。
【請求項５】
ＬＥＤ電球が装着可能で、該ＬＥＤ電球が使用可能な電源を供給する電球ソケットが一つ以上固着、及び／または、所定の範囲で首振り可能に一つ以上持着された略環状の構造体で、
該構造体は、環状蛍光灯器具の少なくとも一組の環状蛍光灯用ランプホルダーに固着されるか、または、着脱可能に保持されることを特徴とする請求項１または請求項２に記載のＬＥＤ電球保持具。
【請求項６】
前記電源を制御する前記制御回路が、前記構造体に内蔵されるか、または、着脱可能に前記構造体に装着されることを特徴とする請求項１〜５のいずれか一項に記載のＬＥＤ電球保持具。
【請求項７】
前記蛍光灯器具の前記蛍光灯ソケットから電源供給を受ける部位３ｆ、及び前記蛍光灯器具の前記点灯管ソケットから電源供給を受ける部位３ｄは、供給された電源を前記ＬＥＤ電球が使用可能な電源にするために、供給された電源を制御する前記制御回路を具備し、
前記商用電源から電源供給を受ける部位３ｅ、前記蛍光灯器具の前記常夜灯用白熱電球ソケットから電源供給を受ける部位３ｃ、前記部位３ｆ、及び前記部位３ｄのいずれか一つ以上が前記構造体に固着されるか、または、着脱可能に装着されることを特徴とする請求項１〜６のいずれか一項に記載のＬＥＤ電球保持具。
【発明の詳細な説明】
【技術分野】
【０００１】
蛍光灯器具に装着し、ＬＥＤ電球を点灯させるための電球ソケットを具備したＬＥＤ電球保持具。
【背景技術】
【０００２】
電力消費量の削減化と照明ランプの長寿命化をはかるため、蛍光灯や白熱電球に代わるＬＥＤランプが提案されている。（特許文献１〜５）そして、白熱電球ソケットに装着できる電球形ＬＥＤランプは、価格低下と性能向上により普及は進んでいる。
【０００３】
これまで広く普及している蛍光灯器具は、フィラメントの電極を有する蛍光ランプが使用され、グロースタータ式、ラピッドスタート式及びインバータ式に大別される。そして、蛍光灯器具で蛍光灯形ＬＥＤランプを使用できるようにするためには、安定器等を改造する方法が一般的である。また、前記のどの方式であっても、蛍光灯照明器具の改造をすることなく使用できる蛍光灯形ＬＥＤランプも提案されている。（特許文献５）
【先行技術文献】
【特許文献】
【０００４】
【特許文献１】実開平６−５４１０３号公報
【特許文献２】特開２００７−２５７９２８号公報
【特許文献３】実公２００８−３１３９７１４号公報
【特許文献４】特開２００８−２７７１８８号公報
【特許文献５】特開２０１１−０４４３１６号公報
【発明の概要】
【発明が解決しようとする課題】
【０００５】
上記蛍光灯形ＬＥＤランプは、蛍光灯の点灯形式、大きさ、形状が多様であり、電球形ＬＥＤランプと比較すると価格が高いために、電球形ＬＥＤランプほど普及は進んでいない。
【０００６】
また、事務所等で使用されている蛍光灯の光は、ＬＥＤランプの光と比較すると拡散性が強く、部屋全体を明るくするには効果的であるが、働く人の手元を明るくするには照度不足の場合がある。
【０００７】
家庭内で広く普及している環状蛍光灯器具は点灯形式、大きさ、形状が多様であり、ＬＥＤ電球に比較すると価格が高いため、環状蛍光灯形ＬＥＤランプはＬＥＤ電球ほど普及していない。
【０００８】
本発明は、上記課題を解決するためになされ、その目的とするところは、広く普及している蛍光灯器具を改造することなく、若しくは、軽微な改造によって、蛍光灯形ＬＥＤランプより安価な、ＬＥＤ電球が使用できるようにすることであり、所定の範囲内であれば照らす方向を変えることができる電球ソケットを具備し、蛍光灯器具に蛍光灯と同程度の簡便さで装着できるＬＥＤ電球保持具を提供することにある。
【課題を解決するための手段】
【０００９】
請求項１は、ＬＥＤ電球保持具の構成を示している。ＬＥＤ電球保持具の構造体は、蛍光灯器具が具備する蛍光灯を保持する部位に、蛍光灯と同じように保持される。該構造体に一つ以上のＬＥＤ電球が首振り可能に装着されている。そして、電源の供給を受ける方法は大きく分類すると２通りである。
【００１０】
請求項２は、電源の供給を受ける２通りの方法を示している。一つは、ＬＥＤ電球保持具のＬＥＤ電球が、商用電源コンセントから直接に、または、蛍光灯器具が具備する常夜灯用白熱電球ソケットから電源の供給を受ける場合である。それらＬＥＤ電球が使用可能な電源は、ＬＥＤ電球保持具が具備する電球ソケットを介して、ＬＥＤ電球に供給される。
【００１１】
他の一つは、蛍光灯ソケット、または、点灯管ソケットから電源の供給を受ける場合である。それらの電源は、ＬＥＤ電球が使用できる電源に制御回路により制御されるか、若しくは、蛍光灯器具の安定器が所定の改造されることによりＬＥＤ電球の使用可能な電源となり、電球ソケットを介しＬＥＤ電球へ供給される。
【００１２】
商用電源コンセントから直接に、または、常夜灯用白熱電球ソケットから電源の供給を受ける場合には、ＬＥＤ電球保持具はＬＥＤ電球を点灯／消灯させる点灯／消灯スイッチを具備することができ、新たな常夜灯を具備することもできる。
【００１３】
また、ＬＥＤ電球保持具に取り付けられた一つ以上の電球ソケットは、所定の範囲内で首振り可能であるので、使用環境に合わせて照らす方向を調整することができる。
【００１４】
請求項３は、蛍光灯器具が直管形蛍光灯器具の場合のＬＥＤ電球保持具である。このＬＥＤ電球保持具は、前記電球ソケットを具備し、また、必要に応じて前記制御回路を具備し、若しくは、ＬＥＤ電球の点灯／消灯スイッチと新たな常夜灯を具備することもできる。
【００１５】
このＬＥＤ電球保持具は、直管形蛍光灯と概同様に直管形蛍光灯器具の一対の蛍光灯ソケットに蛍光灯と概同様のピンを差込み固着されるか、若しくは、着脱可能に安定して直管形蛍光灯器具に保持される。直管形蛍光灯器具に二対以上の蛍光灯ソケットがある場合には、前記保持具の重量が大きい場合や、地震に対する安全率を大きくしたい時などに、ＬＥＤ電球保持具は直管形蛍光灯器具の二対以上の蛍光灯ソケットで保持されることもできる。
【００１６】
請求項４は、直管形蛍光灯器具用のＬＥＤ電球保持具が、ＬＥＤ電球保持具の構造体の長手方向の長さを調整できるアジャスト装置を具備したものである。該アジャスト装置により、ＬＥＤ電球保持具は一対以上の蛍光灯ソケット間で安全に保持されるようにＬＥＤ電球保持具の長手方向の長さを調整することができる。また、ＬＥＤ電球保持具は、具備するアジャスト装置を長手方向に複数個を組合せることによって、蛍光灯ソケット間の長さが違う種類の蛍光灯器具それぞれに装着されることもできる。
【００１７】
請求項５は、蛍光灯器具が環状蛍光灯器具の場合のＬＥＤ電球保持具である。このＬＥＤ電球保持具は、直管形蛍光灯器具用のＬＥＤ電球保持具と同じように、前記電球ソケットを具備し、また、必要に応じて前記制御回路を具備し、若しくは、ＬＥＤ電球の点灯／消灯スイッチと新たな常夜灯を具備することも可能である。
【００１８】
このＬＥＤ電球保持具は、環状蛍光灯と概同様に、環状蛍光灯器具に具備された環状蛍光灯用ランプホルダーに固着されるか、若しくは、着脱可能に安定して保持される。環状蛍光灯器具に二組以上の環状蛍光灯用ランプホルダーがある場合、前記保持具の重量が過剰な場合や、地震に対する安全率を大きくしたい時などに、二組以上の環状蛍光灯器具用ランプホルダーでこのＬＥＤ電球保持具を保持することもできる。
【００１９】
請求項６は、蛍光灯ソケットから、または、点灯管ソケットから電源の供給を受ける場合である。ＬＥＤ電球保持具は、それらの電源をＬＥＤ電球が使用できる電源に制御する制御回路を保持具構造体に内蔵することができる。また、その制御回路は、保持具構造体へ着脱可能に装着することもできる。
【００２０】
請求項７は、制御回路がＬＥＤ電球保持具の構造体に着脱可能の場合である。蛍光灯ソケットから電源の供給をうける部位、及び点灯管ソケットから電源の供給をうける部位のそれぞれの部位が制御回路を具備している。
【００２１】
制御回路を必要としない商用電源コンセントから直接に電源の供給を受ける部位と、蛍光灯器具が具備する常夜灯用白熱電球ソケットから電源の供給を受ける部位は制御回路を具備しない。
【００２２】
制御回路を具備するいずれの部位であっても、制御回路を具備しないいずれの部位であっても、ＬＥＤ電球保持具に固着するか、若しくは着脱可能に装着することができる。また、ＬＥＤ電球保持具の構造体は、いずれの部位であっても装着することができるソケットを具備している。
【００２３】
蛍光灯器具が直管形蛍光灯器具の場合にＬＥＤ電球保持具が蛍光灯ソケットから電源の供給を受ける時以外は、ＬＥＤ電球保持具が蛍光灯器具に保持されるために蛍光灯ソケットに差し込まれるピンは、安全のために電気絶縁する必要がある。
【発明の効果】
【００２４】
本発明により、蛍光灯器具を改造することなく、若しくは、軽微な改造によって、簡単に本発明のＬＥＤ電球保持具を蛍光灯器具に装着でき、不便になることなくＬＥＤ蛍光灯より安価なＬＥＤ電球を使用できる。
【００２５】
また、首振り可能な複数個のＬＥＤ電球ソケットにより、必要なところに光を向けることができ、机上作業の利便性があがる。また、光が不要なところのＬＥＤ電球を外すことにより、細かな省エネ対策が可能となる。
【００２６】
ＬＥＤ電球ソケットは複数個具備されるので、白色系、電球色系を組み合わせ、そして、電球の方向に変化を与えることにより、照明器具としてのデザイン性を向上させることができる。また、電源の規格が合致すれば、電球形蛍光灯や白熱電灯も使用でき、更にデザイン性を向上させることができる。
【００２７】
ユーザーが所有する既存の蛍光灯器具だけでなく、メーカーが在庫で所有する蛍光灯器具に本発明を固着、または、着脱可能に装着し、新商品として販売することもできる。また、本発明を蛍光灯器具以外に取り付け新商品として販売することもできる。
【図面の簡単な説明】
【００２８】
【図１】本発明の実施例１に係る直管形蛍光灯器具用のＬＥＤ電球保持具を直管形蛍光灯器具へ装着した状態を示す図である。
【図２】本発明の実施例１に係る直管形蛍光灯器具用のＬＥＤ電球保持具を直管形蛍光灯器具から取り外した状態を示す図である。
【図３】本発明の実施例１に係る直管形蛍光灯器具用のＬＥＤ電球保持具から、ＬＥＤ電球を取り外した状態を示す図である。
【図４】本発明の実施例１に係る直管形蛍光灯器具用のＬＥＤ電球保持具が蛍光灯ソケットへ取り付く部位と電球ソケットの首振り部位の詳細図である。
【図５】首振り機能部位と電球ソケットとの保持状態を示す背面図である。
【図６】本発明の実施例２に係る環状蛍光灯器具用のＬＥＤ電球保持具にＬＥＤ電球を装着した状態を示す図である。
【図７】本発明の実施例２に係る環状蛍光灯器具用のＬＥＤ電球保持具からＬＥＤ電球を取り外した状態を示す図である。
【図８】本発明の実施例３に係る環状蛍光灯器具用のＬＥＤ電球保持具にＬＥＤ電球を装着した状態を示す図である。
【図９】本発明の実施例３に係る環状蛍光灯器具用のＬＥＤ電球保持具からＬＥＤ電球を取り外した状態を示す図である。
【図１０】本発明の実施例４に係る電源供給を受ける４種類の部位が着脱可能である事例を示す図である。
【図１１】参考のために、既存の直管形蛍光灯器具を示す図である。
【発明を実施するための形態】
【実施例１】
【００２９】
図１に当発明の実施例の一つを示す。この形態は、図１１に示す直管形蛍光灯器具に、直管形蛍光灯器具用のＬＥＤ電球保持具を装着してある。また、電源の供給を直管形蛍光灯ソケットから３ａを介して受ける場合である。
【００３０】
図１、図４に示すように、蛍光灯ソケット１１ａと嵌合する部位３ａは、通常の直管形蛍光灯の口金と概ね同じであり、蛍光灯ソケット１１ａから蛍光灯用電源の供給を受け、ＬＥＤ電球保持具全体を保持し、着脱可能となっている。
【００３１】
また、直管形蛍光灯器具に二対の蛍光灯ソケットがある場合、重量、強度、剛性上必要であれば、一対の蛍光灯ソケット１１ａでＬＥＤ電球保持具全体を保持するのでなく、二対の蛍光灯ソケット１１ａで保持することも可能である。
【００３２】
保持具構造体１ａは、軽量で必要な剛性、強度、耐熱性を持つアルミ等の材質であり、剛性、強度を考慮したフレームを構成している。また、保持具構造体１ａは中空であり配線用スペースとして利用され、デザイン性のために保持具構造体１ａの外配線は最小にしている。
【００３３】
部位３ａは制御回路を内蔵する部位４と固着、若しくは回動可能に挿着されている。回動可能にすることにより、部位３ａが蛍光灯ソケットに挿入しやすくなり、保持具構造体１ａを回動することにより照明方向を変えることができる。
【００３４】
部位４が内蔵する制御回路は、蛍光灯器具から供給された蛍光灯用電源を、ＬＥＤ電球ソケット５を介してＬＥＤ電球２が使用できる電源に制御する。回路の詳細は、複数の先行技術の中で蛍光灯形ＬＥＤランプ内の制御回路が提案されているのでここでは省略する。
【００３５】
部位４が内蔵する制御回路により制御された電源は、保持具構造体１ａ内の配線によりＬＥＤ電球ソケット５へ供給される。ＬＥＤ電球ソケット５は、所定の範囲内で首振り可能であり、照明の方向を所定の範囲内で任意に変えることができる。
【００３６】
ＬＥＤ電球ソケット５は、中径のＥ２６型用、小径のＥ１７型用が通常使用される。本発明では、一種類のソケットしか使用していないが、蛍光灯器具のランプカバーの納まりに合わせて小径の電球ソケットを採用することができる。また、複数の異なる電球ソケット径を採用することにより照明器具としてのデザイン性を向上することもできる。
【００３７】
図４、図５に示すように、ＬＥＤ電球ソケット５は首振り可能に保持される。当実施例では、所定の範囲内で概垂直方向に回動するための首振り支持部位６ａと、所定の範囲内で概水平方向に回動するための首振り支持部位６ｂの直交する２軸で支持されている。
【００３８】
蛍光灯ソケット１１ａからＬＥＤ電球ソケット５までの配線は省略されているが、極力保持具構造体１ａ内に配線され、保持具構造体１ａの外の配線は最小になるようにし、照明器具としてのデザイン性に配慮している。
【実施例２】
【００３９】
図６に当発明の二つ目の実施例を示す。この形態は、環状蛍光灯器具用のＬＥＤ電球保持具である。図７はＬＥＤ電球を取り外した状態の、環状蛍光灯器具用のＬＥＤ電球保持具である。また、電源の供給を環状蛍光灯ソケットから３ｂを介して受ける場合である。
【００４０】
図６、図７に示すように、環状蛍光灯ソケットと嵌合する部位３ｂは、通常の環状蛍光灯の口金と概ね同じであり、環状蛍光灯ソケットから蛍光灯用電源の供給を受ける。
【００４１】
保持具構造体１ｂは、通常の環状蛍光灯器具が具備する環状蛍光灯ランプホルダーに通常の環状蛍光灯と同様に装着される。
また、環状蛍光灯器具は通常蛍光灯２本分のランプホルダーを具備する。重量、強度、剛性上必要であれば、２本分のランプホルダーによって一つの保持具構造体１ｂを保持する方法も可能である。
【００４２】
保持具構造体１ｂは、軽量で必要な剛性、強度、耐熱性もつアルミ等の材質であり、剛性、強度を考慮した環状フレームで構成されている。また、保持具構造体１ｂは中空であり配線用スペースとして利用され、デザイン性のために保持具構造体１ｂの外配線は最小にされている。
【００４３】
部位３ｂは制御回路を内蔵する部位４に固着している。部位３ｂの軸部分は蛇腹状となっていて環状蛍光灯器具の蛍光灯ソケットの所定の方向に簡便に差し込むことができる。
【００４４】
部位４が内蔵する制御回路は、蛍光灯器具から供給された蛍光灯用電源を、ＬＥＤ電球ソケット５を介してＬＥＤ電球２が使用できる電源に制御する。
【００４５】
部位４が内蔵する制御回路により制御された電源は、保持具構造体１ｂ内の配線によりＬＥＤ電球ソケット５へ供給される。ＬＥＤ電球ソケット５は、所定の範囲内で首振り可能であり、照明の方向を所定の範囲内で任意に変えることができる。
【００４６】
また、ＬＥＤ電球ソケット５は、中径のＥ２６型用、小径のＥ１７型用が通常使用される。当実施例では、一種類のソケットしか使用していないが、蛍光灯器具のランプカバーの納まりに合わせて小径の電球ソケットを使用することができる。複数の異なる電球ソケット径を採用することにより照明器具としてのデザイン性を向上することもできる。
【００４７】
ＬＥＤ電球ソケット５は、首振り可能に保持される。当実施例では、所定の範囲内で概垂直方向に回動するための首振り支持部位６ａと、所定の範囲内で概水平方向に回動するための首振り支持部位６ｂの直交する２軸で支持されている。
【００４８】
蛍光灯ソケットからＬＥＤ電球ソケット５までの配線は省略されているが、極力保持具構造体１ｂ内に配線され、保持具構造体１ｂの外の配線は最小になるようにし、照明器具としてのデザイン性に配慮している。
【実施例３】
【００４９】
図８に当発明の三つ目の実施例を示す。この形態は、環状蛍光灯器具用のＬＥＤ電球保持具である。図９はＬＥＤ電球を取り外した状態の環状蛍光灯器具用のＬＥＤ電球保持具である。また、電源の供給を常夜灯用白熱電球ソケットから３ｃを介して受ける場合である。
【００５０】
図８、図９に示すように、常夜灯用白熱電球ソケットと嵌合する部位３ｃ１は、通常の常夜灯用白熱電球の口金と概ね同じであり、常夜灯用白熱電球ソケットから商用電源と概ね同じ電源の供給を受ける。
【００５１】
保持具構造体１ｂは、通常の環状蛍光灯器具が具備する環状蛍光灯ランプホルダーに通常の環状蛍光灯と同様に装着される。
また、環状蛍光灯器具は通常蛍光灯２本分のランプホルダーを具備する。重量、強度、剛性上必要であれば、２本分のランプホルダーによって一つの保持具構造体１ｂを保持する方法も可能である。
【００５２】
保持具構造体１ｂは、軽量で必要な剛性、強度、耐熱性もつアルミ等の材質であり、剛性、強度を考慮した環状フレームで構成されている。また、保持具構造体１ｂは中空であり配線用スペースとして利用され、デザイン性のために保持具構造体１ｂの外配線は最小にされている。
【００５３】
部位３ｃは部位４ａに固着するか、または、着脱可能である。
【００５４】
ＬＥＤ電球ソケット５は、所定の範囲内で首振り可能であり、照明の方向を所定の範囲内で任意に変えることができる。
【００５５】
また、ＬＥＤ電球ソケット５は、中径のＥ２６型用、小径のＥ１７型用が通常使用される。本発明では、一種類のソケットしか使用していないが、蛍光灯器具のランプカバーの納まりに合わせて小径の電球ソケットを使用することができる。複数の異なる電球ソケット径を採用することにより照明器具としてのデザイン性を向上することもできる。
【００５６】
ＬＥＤ電球ソケット５は、首振り可能に保持される。当実施例では、所定の範囲内で概垂直方向に回動できるように首振り支持部位６ａと、所定の範囲内で概水平方向に回動できるように首振り支持部位６ｂの直交する２軸で支持されている。
【００５７】
蛍光灯ソケットからＬＥＤ電球ソケット５までの配線は省略されているが、極力保持具構造体１ｂ内に配線され、保持具構造体１ｂの外の配線は最小になるようにし、照明器具としてのデザイン性に配慮している。
【００５８】
部位４ａは、ＬＥＤ電球オンオフスイッチング装置を内蔵し、新たに常夜灯も具備できる。部位４ｂは、ＬＥＤ電球をオンオフするためのスイッチである。
【実施例４】
【００５９】
図１０に電源供給を受ける数種類の部位の実施例を示す。それらは、常夜灯用白熱電球ソケットから電源を受ける部位３Ｃ、直接に商用電源から電源を受ける部位３ｅ、環状蛍光灯ソケットから電源を受ける部位３ｆ、点灯管ソケットから電源を受ける部位３ｄである。
【００６０】
部位３ｃ、３ｄ、３ｅ、３ｆは、保持具構造体４ａのソケット７に着脱可能である。口金部分３ｃ２、３ｄ２、３ｅ２、３ｆ２は回転自在であり、ケーブルが捩れること無く、ソケット７に捩じ込むことができる。
環状蛍光灯ソケットから電源を受ける部位３ｆ、点灯管ソケットから電源を受ける部位３ｄそれぞれは、電源を制御する制御回路３ｆ３、３ｄ３を具備している。
【００６１】
電源を受ける部位３ｃ、３ｄ、３ｅによる、電源供給を受ける方法は、直管形蛍光灯器具にも使用できる。但し、この場合、直管形蛍光灯ソケットに装着されるピンは安全のために電気絶縁をする必要がある。
【符号の説明】
【００６２】
１      ＬＥＤ電球保持具
１ａ    直管形蛍光灯器具用のＬＥＤ電球保持具構造体
１ｂ    環状蛍光灯器具用のＬＥＤ電球保持具構造体
２      ＬＥＤ電球
３      電源供給を受ける部位
３ａ    直管形蛍光灯ソケットから電源供給を受け、保持具全体を保持する部位
３ｂ    環状蛍光灯ソケットから電源供給を受ける部位
３ｃ    保持具構造体に着脱可能な、常夜灯用白熱電球ソケットから電源供給を受ける部位
３ｃ１  常夜灯用白熱電球ソケットに螺合する口金
３ｃ２  保持具構造体内配線へ繋がるソケットに螺合する口金
３ｄ    保持具構造体に着脱可能な、点灯管ソケットから電源供給を受ける部位
３ｄ１  点灯管ソケットに螺合する口金
３ｄ２  保持具構造体内配線へ繋がるソケットに螺合する口金
３ｄ３  ＬＥＤ電球が使用できる電源に制御するための制御回路
３ｅ    保持具構造体に着脱可能な、直接に商用電源コンセントから電源供給を受ける部位
３ｅ１  商用電源コンセント用のプラグ
３ｅ２  保持具構造体内配線へ繋がるソケットに螺合する口金
３ｆ     保持具構造体に着脱可能な、環状蛍光灯ソケットから電源供給を受ける部位
３ｆ１   環状蛍光灯ソケットに装着する口金
３ｆ２   保持具構造体内配線へ繋がるソケットに螺合する口金
３ｆ３   ＬＥＤ電球が使用できる電源に制御するための制御回路
４      制御回路が内蔵された部位
４ａ    ＬＥＤ電球のオンオフスイッチング回路が内蔵された部位
４ｂ    ＬＥＤ電球のオンオフスイッチ
５      ＬＥＤ電球ソケット
６      首振り部位
６ａ    略上下方向の首振り支持部位
６ｂ    略水平方向の首振り支持部位
７      保持具構造体内配線へ繋がるソケット
１１    直管形蛍光灯器具
１１ａ  直管形蛍光灯器具の蛍光灯ソケット
【図１】
2012252999.tif 000003
【図２】
2012252999.tif 000004
【図３】
2012252999.tif 000005
【図４】
2012252999.tif 000006
【図５】
2012252999.tif 000007
【図６】
2012252999.tif 000008
【図７】
2012252999.tif 000009
【図８】
2012252999.tif 000010
【図９】
2012252999.tif 000011
【図１０】
2012252999.tif 000012
【図１１】
2012252999.tif 000013
【手続補正書】
【提出日】平成24年1月14日(2012.1.14)
【手続補正１】
【補正対象書類名】明細書
【補正対象項目名】全文
【補正方法】変更
【補正の内容】
【発明の詳細な説明】
【技術分野】
【０００１】
蛍光灯器具に装着し、ＬＥＤ電球を点灯させるための電球ソケットを具備したＬＥＤ電球保持具。
【背景技術】
【０００２】
電力消費量の削減化と照明ランプの長寿命化をはかるため、蛍光灯や白熱電球に代わるＬＥＤランプが提案されている。（特許文献１〜５）そして、白熱電球ソケットに装着できる電球形ＬＥＤランプは、価格低下と性能向上により普及は進んでいる。
【０００３】
これまで広く普及している蛍光灯器具は、フィラメントの電極を有する蛍光ランプが使用され、グロースタータ式、ラピッドスタート式及びインバータ式に大別される。そして、蛍光灯器具で蛍光灯形ＬＥＤランプを使用できるようにするためには、安定器等を改造する方法が一般的である。また、前記のどの方式であっても、蛍光灯照明器具の改造をすることなく使用できる蛍光灯形ＬＥＤランプも提案されている。（特許文献５）
【先行技術文献】
【特許文献】
【０００４】
【特許文献１】実開平６−５４１０３号公報
【特許文献２】特開２００７−２５７９２８号公報
【特許文献３】実公２００８−３１３９７１４号公報
【特許文献４】特開２００８−２７７１８８号公報
【特許文献５】特開２０１１−０４４３１６号公報
【発明の概要】
【発明が解決しようとする課題】
【０００５】
上記蛍光灯形ＬＥＤランプは、蛍光灯の点灯形式、大きさ、形状が多様であり、電球形ＬＥＤランプと比較すると価格が高いために、電球形ＬＥＤランプほど普及は進んでいない。
【０００６】
また、事務所等で使用されている蛍光灯の光は、ＬＥＤランプの光と比較すると拡散性が強く、部屋全体を明るくするには効果的であるが、働く人の手元を明るくするには照度不足の場合がある。
【０００７】
家庭内で広く普及している環状蛍光灯器具は点灯形式、大きさ、形状が多様であり、ＬＥＤ電球に比較すると価格が高いため、環状蛍光灯形ＬＥＤランプはＬＥＤ電球ほど普及していない。
【０００８】
本発明は、上記課題を解決するためになされ、その目的とするところは、広く普及している蛍光灯器具を改造することなく、若しくは、軽微な改造によって、蛍光灯形ＬＥＤランプより安価な、ＬＥＤ電球が使用できるようにすることであり、所定の範囲内であれば照らす方向を変えることができる電球ソケットを具備し、蛍光灯器具に蛍光灯と同程度の簡便さで装着できるＬＥＤ電球保持具を提供することにある。
【課題を解決するための手段】
【０００９】
請求項１は、ＬＥＤ電球保持具の構成を示している。ＬＥＤ電球保持具の構造体は、蛍光灯器具が具備する蛍光灯を保持する部位に、蛍光灯と同じように保持される。該構造体に一つ以上のＬＥＤ電球が首振り可能に装着されている。そして、電源の供給を受ける方法は大きく分類すると２通りである。
【００１０】
請求項２は、前記構造体が一つ以上の直線棒状部材や一つ以上の曲線棒状部材で概略構成されたフレーム構造であって、電球ソケットは1軸の軸回りで回動可能か、または、直交する２軸それぞれで回動可能の構造である。
【００１１】
請求項３は、電源の供給を受ける２通りの方法を示している。一つは、ＬＥＤ電球保持具のＬＥＤ電球が、商用電源コンセントから直接に、または、蛍光灯器具が具備する常夜灯用白熱電球ソケットから電源の供給を受ける場合である。それらＬＥＤ電球が使用可能な電源は、ＬＥＤ電球保持具が具備する電球ソケットを介して、ＬＥＤ電球に供給される。
【００１２】
他の一つは、蛍光灯ソケット、または、点灯管ソケットから電源の供給を受ける場合である。それらの電源は、ＬＥＤ電球が使用できる電源に制御回路により制御されるか、若しくは、蛍光灯器具の安定器が所定の改造されることによりＬＥＤ電球の使用可能な電源となり、電球ソケットを介しＬＥＤ電球へ供給される。
【００１３】
商用電源コンセントから直接に、または、常夜灯用白熱電球ソケットから電源の供給を受ける場合には、ＬＥＤ電球保持具はＬＥＤ電球を点灯／消灯させる点灯／消灯スイッチを具備することができ、新たな常夜灯を具備することもできる。
【００１４】
また、ＬＥＤ電球保持具に取り付けられた一つ以上の電球ソケットは、所定の範囲内で首振り可能であるので、使用環境に合わせて照らす方向を調整することができる。
【００１５】
請求項４は、蛍光灯器具が直管形蛍光灯器具の場合のＬＥＤ電球保持具である。このＬＥＤ電球保持具は、略ラダーフレーム構造であって、前記電球ソケットを具備し、また、必要に応じて前記制御回路を具備し、若しくは、ＬＥＤ電球の点灯／消灯スイッチと新たな常夜灯を具備することもできる。
【００１６】
このＬＥＤ電球保持具は、直管形蛍光灯と概同様に直管形蛍光灯器具の一対の蛍光灯ソケットに蛍光灯と概同様のピンを差込み固着されるか、若しくは、着脱可能に安定して直管形蛍光灯器具に保持される。直管形蛍光灯器具に二対以上の蛍光灯ソケットがある場合には、前記保持具の重量が大きい場合や、地震に対する安全率を大きくしたい時などに、ＬＥＤ電球保持具は直管形蛍光灯器具の二対以上の蛍光灯ソケットで保持されることもできる。
【００１７】
請求項５は、直管形蛍光灯器具用のＬＥＤ電球保持具が、ＬＥＤ電球保持具の構造体の長手方向の長さを調整できるアジャスト装置を具備したものである。該アジャスト装置により、ＬＥＤ電球保持具は一対以上の蛍光灯ソケット間で安全に保持されるようにＬＥＤ電球保持具の長手方向の長さを調整することができる。また、ＬＥＤ電球保持具は、具備するアジャスト装置を長手方向に複数個を組合せることによって、蛍光灯ソケット間の長さが違う種類の蛍光灯器具それぞれに装着されることもできる。
【００１８】
請求項６は、蛍光灯器具が環状蛍光灯器具の場合のＬＥＤ電球保持具である。このＬＥＤ電球保持具は、略環状構造であって、直管形蛍光灯器具用のＬＥＤ電球保持具と同じように、前記電球ソケットを具備し、また、必要に応じて前記制御回路を具備し、若しくは、ＬＥＤ電球の点灯／消灯スイッチと新たな常夜灯を具備することも可能である。
【００１９】
このＬＥＤ電球保持具は、環状蛍光灯と概同様に、環状蛍光灯器具に具備された環状蛍光灯用ランプホルダーに固着されるか、若しくは、着脱可能に安定して保持される。環状蛍光灯器具に二組以上の環状蛍光灯用ランプホルダーがある場合、前記保持具の重量が過剰な場合や、地震に対する安全率を大きくしたい時などに、二組以上の環状蛍光灯器具用ランプホルダーでこのＬＥＤ電球保持具を保持することもできる。
【００２０】
請求項７は、蛍光灯ソケットから、または、点灯管ソケットから電源の供給を受ける場合である。ＬＥＤ電球保持具は、それらの電源をＬＥＤ電球が使用できる電源に制御する制御回路を保持具構造体に内蔵することができる。また、その制御回路は、保持具構造体へ着脱可能に装着することもできる。
【００２１】
請求項８は、制御回路がＬＥＤ電球保持具の構造体に着脱可能の場合である。蛍光灯ソケットから電源の供給をうける部位、及び点灯管ソケットから電源の供給をうける部位のそれぞれの部位が制御回路を具備している。
【００２２】
制御回路を必要としない商用電源コンセントから直接に電源の供給を受ける部位と、蛍光灯器具が具備する常夜灯用白熱電球ソケットから電源の供給を受ける部位は制御回路を具備しない。
【００２３】
制御回路を具備するいずれの部位であっても、制御回路を具備しないいずれの部位であっても、ＬＥＤ電球保持具に固着するか、若しくは着脱可能に装着することができる。また、ＬＥＤ電球保持具の構造体は、いずれの部位であっても装着することができるソケットを具備している。
【００２４】
蛍光灯器具が直管形蛍光灯器具の場合にＬＥＤ電球保持具が蛍光灯ソケットから電源の供給を受ける時以外は、ＬＥＤ電球保持具が蛍光灯器具に保持されるために蛍光灯ソケットに差し込まれるピンは、安全のために電気絶縁する必要がある。
【発明の効果】
【００２５】
本発明により、蛍光灯器具を改造することなく、若しくは、軽微な改造によって、簡単に本発明のＬＥＤ電球保持具を蛍光灯器具に装着でき、不便になることなくＬＥＤ蛍光灯より安価なＬＥＤ電球を使用できる。
【００２６】
また、首振り可能な複数個のＬＥＤ電球ソケットにより、必要なところに光を向けることができ、机上作業の利便性があがる。また、光が不要なところのＬＥＤ電球を外すことにより、細かな省エネ対策が可能となる。
【００２７】
ＬＥＤ電球ソケットは複数個具備されるので、白色系、電球色系を組み合わせ、そして、電球の方向に変化を与えることにより、照明器具としてのデザイン性を向上させることができる。また、電源の規格が合致すれば、電球形蛍光灯や白熱電灯も使用でき、更にデザイン性を向上させることができる。
【００２８】
ユーザーが所有する既存の蛍光灯器具だけでなく、メーカーが在庫で所有する蛍光灯器具に本発明を固着、または、着脱可能に装着し、新商品として販売することもできる。また、本発明を蛍光灯器具以外に取り付け新商品として販売することもできる。
【図面の簡単な説明】
【００２９】
【図１】本発明の実施例１に係る直管形蛍光灯器具用のＬＥＤ電球保持具を直管形蛍光灯器具へ装着した状態を示す図である。
【図２】本発明の実施例１に係る直管形蛍光灯器具用のＬＥＤ電球保持具を直管形蛍光灯器具から取り外した状態を示す図である。
【図３】本発明の実施例１に係る直管形蛍光灯器具用のＬＥＤ電球保持具から、ＬＥＤ電球を取り外した状態を示す図である。
【図４】本発明の実施例１に係る直管形蛍光灯器具用のＬＥＤ電球保持具が蛍光灯ソケットへ取り付く部位と電球ソケットが直交する2軸のそれぞれの軸回りで回動可能に取り付く部位の詳細図である。
【図５】直交する2軸のそれぞれの軸回りで回動可能に取り付く部位と電球ソケットとの保持状態を示す背面図である。
【図６】本発明の実施例２に係る環状蛍光灯器具用のＬＥＤ電球保持具にＬＥＤ電球を装着した状態を示す図である。
【図７】本発明の実施例２に係る環状蛍光灯器具用のＬＥＤ電球保持具からＬＥＤ電球を取り外した状態を示す図である。
【図８】本発明の実施例３に係る環状蛍光灯器具用のＬＥＤ電球保持具にＬＥＤ電球を装着した状態を示す図である。
【図９】本発明の実施例３に係る環状蛍光灯器具用のＬＥＤ電球保持具からＬＥＤ電球を取り外した状態を示す図である。
【図１０】本発明の実施例４に係る電源供給を受ける４種類の部位が着脱可能である事例を示す図である。
【図１１】参考のために、既存の直管形蛍光灯器具を示す図である。
【発明を実施するための形態】
【実施例１】
【００３０】
図１に当発明の実施例の一つを示す。この形態は、図１１に示す直管形蛍光灯器具に、直管形蛍光灯器具用のＬＥＤ電球保持具を装着してある。また、電源の供給を直管形蛍光灯ソケットから３ａを介して受ける場合である。
【００３１】
図１、図４に示すように、蛍光灯ソケット１１ａと嵌合する部位３ａは、通常の直管形蛍光灯の口金と概ね同じであり、蛍光灯ソケット１１ａから蛍光灯用電源の供給を受け、ＬＥＤ電球保持具全体を保持し、着脱可能となっている。
【００３２】
また、直管形蛍光灯器具に二対の蛍光灯ソケットがある場合、重量、強度、剛性上必要であれば、一対の蛍光灯ソケット１１ａでＬＥＤ電球保持具全体を保持するのでなく、二対の蛍光灯ソケット１１ａで保持することも可能である。
【００３３】
保持具構造体１ａは、軽量で必要な剛性、強度、耐熱性を持つアルミ等の材質であり、剛性、強度を考慮したフレームを構成している。また、保持具構造体１ａは中空であり配線用スペースとして利用され、デザイン性のために保持具構造体１ａの外配線は最小にしている。
【００３４】
部位３ａは制御回路を内蔵する部位４と固着、若しくは回動可能に挿着されている。回動可能にすることにより、部位３ａが蛍光灯ソケットに挿入しやすくなり、保持具構造体１ａを回動することにより照明方向を変えることができる。
【００３５】
部位４が内蔵する制御回路は、蛍光灯器具から供給された蛍光灯用電源を、ＬＥＤ電球ソケット５を介してＬＥＤ電球２が使用できる電源に制御する。回路の詳細は、複数の先行技術の中で蛍光灯形ＬＥＤランプ内の制御回路が提案されているのでここでは省略する。
【００３６】
部位４が内蔵する制御回路により制御された電源は、保持具構造体１ａ内の配線によりＬＥＤ電球ソケット５へ供給される。ＬＥＤ電球ソケット５は、所定の範囲内で首振り可能であり、照明の方向を所定の範囲内で任意に変えることができる。
【００３７】
ＬＥＤ電球ソケット５は、中径のＥ２６型用、小径のＥ１７型用が通常使用される。本発明では、一種類のソケットしか使用していないが、蛍光灯器具のランプカバーの納まりに合わせて小径の電球ソケットを採用することができる。また、複数の異なる電球ソケット径を採用することにより照明器具としてのデザイン性を向上することもできる。
【００３８】
図４、図５に示すように、ＬＥＤ電球ソケット５は首振り可能に保持される。当実施例では、所定の範囲内で概垂直方向に回動するための首振り支持部位６ａと、所定の範囲内で概水平方向に回動するための首振り支持部位６ｂの直交する２軸で支持されている。
【００３９】
蛍光灯ソケット１１ａからＬＥＤ電球ソケット５までの配線は省略されているが、極力保持具構造体１ａ内に配線され、保持具構造体１ａの外の配線は最小になるようにし、照明器具としてのデザイン性に配慮している。
【実施例２】
【００４０】
図６に当発明の二つ目の実施例を示す。この形態は、環状蛍光灯器具用のＬＥＤ電球保持具である。図７はＬＥＤ電球を取り外した状態の、環状蛍光灯器具用のＬＥＤ電球保持具である。また、電源の供給を環状蛍光灯ソケットから３ｂを介して受ける場合である。
【００４１】
図６、図７に示すように、環状蛍光灯ソケットと嵌合する部位３ｂは、通常の環状蛍光灯の口金と概ね同じであり、環状蛍光灯ソケットから蛍光灯用電源の供給を受ける。
【００４２】
保持具構造体１ｂは、通常の環状蛍光灯器具が具備する環状蛍光灯ランプホルダーに通常の環状蛍光灯と同様に装着される。
また、環状蛍光灯器具は通常蛍光灯２本分のランプホルダーを具備する。重量、強度、剛性上必要であれば、２本分のランプホルダーによって一つの保持具構造体１ｂを保持する方法も可能である。
【００４３】
保持具構造体１ｂは、軽量で必要な剛性、強度、耐熱性もつアルミ等の材質であり、剛性、強度を考慮した環状フレームで構成されている。また、保持具構造体１ｂは中空であり配線用スペースとして利用され、デザイン性のために保持具構造体１ｂの外配線は最小にされている。
【００４４】
部位３ｂは制御回路を内蔵する部位４に固着している。部位３ｂの軸部分は蛇腹状となっていて環状蛍光灯器具の蛍光灯ソケットの所定の方向に簡便に差し込むことができる。
【００４５】
部位４が内蔵する制御回路は、蛍光灯器具から供給された蛍光灯用電源を、ＬＥＤ電球ソケット５を介してＬＥＤ電球２が使用できる電源に制御する。
【００４６】
部位４が内蔵する制御回路により制御された電源は、保持具構造体１ｂ内の配線によりＬＥＤ電球ソケット５へ供給される。ＬＥＤ電球ソケット５は、所定の範囲内で首振り可能であり、照明の方向を所定の範囲内で任意に変えることができる。
【００４７】
また、ＬＥＤ電球ソケット５は、中径のＥ２６型用、小径のＥ１７型用が通常使用される。当実施例では、一種類のソケットしか使用していないが、蛍光灯器具のランプカバーの納まりに合わせて小径の電球ソケットを使用することができる。複数の異なる電球ソケット径を採用することにより照明器具としてのデザイン性を向上することもできる。
【００４８】
ＬＥＤ電球ソケット５は、首振り可能に保持される。当実施例では、所定の範囲内で概垂直方向に回動するための首振り支持部位６ａと、所定の範囲内で概水平方向に回動するための首振り支持部位６ｂの直交する２軸で支持されている。
【００４９】
蛍光灯ソケットからＬＥＤ電球ソケット５までの配線は省略されているが、極力保持具構造体１ｂ内に配線され、保持具構造体１ｂの外の配線は最小になるようにし、照明器具としてのデザイン性に配慮している。
【実施例３】
【００５０】
図８に当発明の三つ目の実施例を示す。この形態は、環状蛍光灯器具用のＬＥＤ電球保持具である。図９はＬＥＤ電球を取り外した状態の環状蛍光灯器具用のＬＥＤ電球保持具である。また、電源の供給を常夜灯用白熱電球ソケットから３ｃを介して受ける場合である。
【００５１】
図８、図９に示すように、常夜灯用白熱電球ソケットと嵌合する部位３ｃ１は、通常の常夜灯用白熱電球の口金と概ね同じであり、常夜灯用白熱電球ソケットから商用電源と概ね同じ電源の供給を受ける。
【００５２】
保持具構造体１ｂは、通常の環状蛍光灯器具が具備する環状蛍光灯ランプホルダーに通常の環状蛍光灯と同様に装着される。
また、環状蛍光灯器具は通常蛍光灯２本分のランプホルダーを具備する。重量、強度、剛性上必要であれば、２本分のランプホルダーによって一つの保持具構造体１ｂを保持する方法も可能である。
【００５３】
保持具構造体１ｂは、軽量で必要な剛性、強度、耐熱性もつアルミ等の材質であり、剛性、強度を考慮した環状フレームで構成されている。また、保持具構造体１ｂは中空であり配線用スペースとして利用され、デザイン性のために保持具構造体１ｂの外配線は最小にされている。
【００５４】
部位３ｃは部位４ａに固着するか、または、着脱可能である。
【００５５】
ＬＥＤ電球ソケット５は、所定の範囲内で首振り可能であり、照明の方向を所定の範囲内で任意に変えることができる。
【００５６】
また、ＬＥＤ電球ソケット５は、中径のＥ２６型用、小径のＥ１７型用が通常使用される。本発明では、一種類のソケットしか使用していないが、蛍光灯器具のランプカバーの納まりに合わせて小径の電球ソケットを使用することができる。複数の異なる電球ソケット径を採用することにより照明器具としてのデザイン性を向上することもできる。
【００５７】
ＬＥＤ電球ソケット５は、首振り可能に保持される。当実施例では、所定の範囲内で概垂直方向に回動できるように首振り支持部位６ａと、所定の範囲内で概水平方向に回動できるように首振り支持部位６ｂの直交する２軸で支持されている。
【００５８】
蛍光灯ソケットからＬＥＤ電球ソケット５までの配線は省略されているが、極力保持具構造体１ｂ内に配線され、保持具構造体１ｂの外の配線は最小になるようにし、照明器具としてのデザイン性に配慮している。
【００５９】
部位４ａは、ＬＥＤ電球オンオフスイッチング装置を内蔵し、新たに常夜灯も具備できる。部位４ｂは、ＬＥＤ電球をオンオフするためのスイッチである。
【実施例４】
【００６０】
図１０に電源供給を受ける数種類の部位の実施例を示す。それらは、常夜灯用白熱電球ソケットから電源を受ける部位３Ｃ、直接に商用電源から電源を受ける部位３ｅ、環状蛍光灯ソケットから電源を受ける部位３ｆ、点灯管ソケットから電源を受ける部位３ｄである。
【００６１】
部位３ｃ、３ｄ、３ｅ、３ｆは、保持具構造体４ａのソケット７に着脱可能である。口金部分３ｃ２、３ｄ２、３ｅ２、３ｆ２は回転自在であり、ケーブルが捩れること無く、ソケット７に捩じ込むことができる。
環状蛍光灯ソケットから電源を受ける部位３ｆ、点灯管ソケットから電源を受ける部位３ｄそれぞれは、電源を制御する制御回路３ｆ３、３ｄ３を具備している。
【００６２】
電源を受ける部位３ｃ、３ｄ、３ｅによる、電源供給を受ける方法は、直管形蛍光灯器具にも使用できる。但し、この場合、直管形蛍光灯ソケットに装着されるピンは安全のために電気絶縁をする必要がある。
【符号の説明】
【００６３】
１      ＬＥＤ電球保持具
１ａ    直管形蛍光灯器具用のＬＥＤ電球保持具構造体
１ｂ    環状蛍光灯器具用のＬＥＤ電球保持具構造体
２      ＬＥＤ電球
３      電源供給を受ける部位
３ａ    直管形蛍光灯ソケットから電源供給を受け、保持具全体を保持する部位
３ｂ    環状蛍光灯ソケットから電源供給を受ける部位
３ｃ    保持具構造体に着脱可能な、常夜灯用白熱電球ソケットから電源供給を受ける部位
３ｃ１  常夜灯用白熱電球ソケットに螺合する口金
３ｃ２  保持具構造体内配線へ繋がるソケットに螺合する口金
３ｄ    保持具構造体に着脱可能な、点灯管ソケットから電源供給を受ける部位
３ｄ１  点灯管ソケットに螺合する口金
３ｄ２  保持具構造体内配線へ繋がるソケットに螺合する口金
３ｄ３  ＬＥＤ電球が使用できる電源に制御するための制御回路
３ｅ    保持具構造体に着脱可能な、直接に商用電源コンセントから電源供給を受ける部位
３ｅ１  商用電源コンセント用のプラグ
３ｅ２  保持具構造体内配線へ繋がるソケットに螺合する口金
３ｆ     保持具構造体に着脱可能な、環状蛍光灯ソケットから電源供給を受ける部位
３ｆ１   環状蛍光灯ソケットに装着する口金
３ｆ２   保持具構造体内配線へ繋がるソケットに螺合する口金
３ｆ３   ＬＥＤ電球が使用できる電源に制御するための制御回路
４      制御回路が内蔵された部位
４ａ    ＬＥＤ電球のオンオフスイッチング回路が内蔵された部位
４ｂ    ＬＥＤ電球のオンオフスイッチ
５      ＬＥＤ電球ソケット
６      直交する2軸のそれぞれの軸回りで回動可能な部位
６ａ    略上下方向の回動支持部位
６ｂ    略水平方向の回動支持部位
７      保持具構造体内配線へ繋がるソケット
１１    直管形蛍光灯器具
１１ａ  直管形蛍光灯器具の蛍光灯ソケット
【手続補正２】
【補正対象書類名】特許請求の範囲
【補正対象項目名】全文
【補正方法】変更
【補正の内容】
【特許請求の範囲】
【請求項１】
ＬＥＤ電球が装着可能で、該ＬＥＤ電球が使用可能な電源を供給する電球ソケットが一つ以上固着、及び／または、所定の範囲で首振り可能に一つ以上持着された構造体で、
該構造体は、蛍光灯器具の蛍光灯を保持する部位に固着されるか、または、着脱可能に保持され、
前記電源は、商用電源、前記蛍光灯器具の常夜灯用白熱電球ソケット、前記蛍光灯器具の蛍光灯ソケット、及び前記蛍光灯器具の点灯管ソケットの少なくとも一つから供給を受けることを特徴とするＬＥＤ電球保持具。
【請求項２】
前記電球ソケットが一つ以上固着、及び／または、所定の範囲で1軸の軸回りで回動可能に、または、直交する2軸のそれぞれの軸回りで回動可能に一つ以上持着された前記構造体で、
前記構造体は、一つ以上の直線棒状部材、及び／または、一つ以上の曲線棒状部材で構成されたフレーム構造で、蛍光灯器具の蛍光灯を保持する部位に固着されるか、または、着脱可能に保持されることを特徴とする請求項１に記載のＬＥＤ電球保持具。
【請求項３】
前記蛍光灯器具の前記蛍光灯ソケット、及び前記蛍光灯器具の前記点灯管ソケットの少なくとも一つから前記電源の供給を受ける場合は、
前記電源を前記ＬＥＤ電球が使用可能な電源にするために、前記電源を制御する制御回路を具備するか、または、前記蛍光灯器具が具備する所定の装置を改造することを特徴とする請求項１または請求項２に記載のＬＥＤ電球保持具。
【請求項４】
前記構造体は、略ラダーフレーム構造で、直管形蛍光灯器具の少なくとも一対の蛍光灯ソケットに固着されるか、または、着脱可能に保持されることを特徴とする請求項１〜３のいずれか一項に記載のＬＥＤ電球保持具。
【請求項５】
前記直管形蛍光灯器具の一対の前記蛍光灯ソケットの間を結ぶ略直線の方向に、前記ＬＥＤ電球保持具の前記構造体の長さが調整可能であることを特徴とする請求項４に記載のＬＥＤ電球保持具。
【請求項６】
前記構造体は、略環状構造で、環状蛍光灯器具の少なくとも一組の環状蛍光灯用ランプホルダーに固着されるか、または、着脱可能に保持されることを特徴とする請求項１〜３のいずれか一項に記載のＬＥＤ電球保持具。
【請求項７】
前記電源を制御する前記制御回路が、前記構造体に内蔵されるか、または、着脱可能に前記構造体に装着されることを特徴とする請求項１〜６のいずれか一項に記載のＬＥＤ電球保持具。
【請求項８】
前記蛍光灯器具の前記蛍光灯ソケットから電源供給を受ける部位３ｆ、及び前記蛍光灯器具の前記点灯管ソケットから電源供給を受ける部位３ｄは、供給された電源を前記ＬＥＤ電球が使用可能な電源にするために、供給された電源を制御する前記制御回路を具備し、
前記商用電源から電源供給を受ける部位３ｅ、前記蛍光灯器具の前記常夜灯用白熱電球ソケットから電源供給を受ける部位３ｃ、前記部位３ｆ、及び前記部位３ｄのいずれか一つ以上が前記構造体に固着されるか、または、着脱可能に装着されることを特徴とする請求項１〜７のいずれか一項に記載のＬＥＤ電球保持具。
【手続補正書】
【提出日】平成24年4月22日(2012.4.22)
【手続補正１】
【補正対象書類名】明細書
【補正対象項目名】全文
【補正方法】変更
【補正の内容】
【発明の詳細な説明】
【技術分野】
【０００１】
蛍光灯器具に装着し、ＬＥＤ電球を点灯させるための電球ソケットを具備したＬＥＤ電球保持具。
【背景技術】
【０００２】
電力消費量の削減化と照明ランプの長寿命化をはかるため、蛍光灯や白熱電球に代わるＬＥＤランプが提案されている。（特許文献１〜５）そして、白熱電球ソケットに装着できる電球形ＬＥＤランプは、価格低下と性能向上により普及は進んでいる。
【０００３】
これまで広く普及している蛍光灯器具は、フィラメントの電極を有する蛍光ランプが使用され、グロースタータ式、ラピッドスタート式及びインバータ式に大別される。そして、蛍光灯器具で蛍光灯形ＬＥＤランプを使用できるようにするためには、安定器等を改造する方法が一般的である。また、前記のどの方式であっても、蛍光灯照明器具の改造をすることなく使用できる蛍光灯形ＬＥＤランプも提案されている。（特許文献５）
【先行技術文献】
【特許文献】
【０００４】
【特許文献１】実開平６−５４１０３号公報
【特許文献２】特開２００７−２５７９２８号公報
【特許文献３】実公２００８−３１３９７１４号公報
【特許文献４】特開２００８−２７７１８８号公報
【特許文献５】特開２０１１−０４４３１６号公報
【発明の概要】
【発明が解決しようとする課題】
【０００５】
上記蛍光灯形ＬＥＤランプは、蛍光灯の点灯形式、大きさ、形状が多様であり、電球形ＬＥＤランプと比較すると価格が高いために、電球形ＬＥＤランプほど普及は進んでいない。
【０００６】
また、事務所等で使用されている蛍光灯の光は、ＬＥＤランプの光と比較すると拡散性が強く、部屋全体を明るくするには効果的であるが、働く人の手元を明るくするには照度不足の場合がある。
【０００７】
家庭内で広く普及している環状蛍光灯器具は点灯形式、大きさ、形状が多様であり、ＬＥＤ電球に比較すると価格が高いため、環状蛍光灯形ＬＥＤランプはＬＥＤ電球ほど普及していない。
【０００８】
本発明は、上記課題を解決するためになされ、その目的とするところは、広く普及している蛍光灯器具を改造することなく、若しくは、軽微な改造によって、蛍光灯形ＬＥＤランプより安価な、ＬＥＤ電球が使用できるようにすることであり、所定の範囲内であれば照らす方向を変えることができる電球ソケットを具備し、蛍光灯器具に蛍光灯と同程度の簡便さで装着できるＬＥＤ電球保持具を提供することにある。
【課題を解決するための手段】
【０００９】
請求項１は、ＬＥＤ電球保持具の構成を示している。ＬＥＤ電球保持具の構造体は、蛍光灯器具が具備する蛍光灯を保持する部位に、蛍光灯と同じように保持される。該構造体に一つ以上のＬＥＤ電球が首振り可能に装着されている。そして、電源の供給を受ける方法は大きく分類すると２通りである。
【００１０】
前記構造は、蛍光灯器具が直管形蛍光灯器具の場合のＬＥＤ電球保持具であり、一つ以上の略棒状部材で構成された略ラダーフレーム構造である。そして、電球ソケットは個着するか、首振り可能であるか、1軸の軸回りで回動可能であるか、直交する２軸それぞれで回動可能であるか、もしくは、それらを組み合わせた構造である。
【００１１】
そして、このＬＥＤ電球保持具は、直管形蛍光灯と概同様に直管形蛍光灯器具の一対の蛍光灯ソケットに蛍光灯と概同様のピンを差込み固着されるか、若しくは、着脱可能に安定して直管形蛍光灯器具に保持される。直管形蛍光灯器具に二対以上の蛍光灯ソケットがある場合には、前記保持具の重量が大きい場合や、地震に対する安全率を大きくしたい時などに、ＬＥＤ電球保持具は直管形蛍光灯器具の二対以上の蛍光灯ソケットで保持されることもできる。
【００１２】
電源の供給を受ける２通りの方法の一つは、ＬＥＤ電球保持具のＬＥＤ電球が、商用電源コンセントから直接に、または、蛍光灯器具が具備する常夜灯用白熱電球ソケットから電源の供給を受ける場合である。それらＬＥＤ電球が使用可能な電源は、ＬＥＤ電球保持具が具備する電球ソケットを介して、ＬＥＤ電球に供給される。
【００１３】
他の一つは、蛍光灯ソケット、または、点灯管ソケットから電源の供給を受ける場合である。それらの電源は、ＬＥＤ電球が使用できる電源に制御回路により制御されるか、若しくは、蛍光灯器具の安定器が所定の改造されることによりＬＥＤ電球の使用可能な電源となり蛍光灯ソケットを介しＬＥＤ電球へ供給される。
【００１４】
商用電源コンセントから直接に、または、常夜灯用白熱電球ソケットから電源の供給を受ける場合には、ＬＥＤ電球保持具はＬＥＤ電球を点灯／消灯させる点灯／消灯スイッチを具備することができ、新たな常夜灯を具備することもできる。
また、ＬＥＤ電球保持具に取り付けられた一つ以上の電球ソケットは、所定の範囲内で首振り可能であるので、使用環境に合わせて照らす方向を調整することができる。
【００１５】
請求項２は、具体的な電源の供給方法を示している。先ずは蛍光灯ソケットから、または、点灯管ソケットから電源の供給を受ける場合である。ＬＥＤ電球保持具は、それらの電源をＬＥＤ電球が使用できる電源に制御する制御回路を保持具構造体に内蔵することができる。また、その制御回路は、保持具構造体へ着脱可能に装着することもできる。
【００１６】
また、制御回路がＬＥＤ電球保持具の構造体に着脱可能の場合である。蛍光灯ソケットから電源の供給をうける部位、及び点灯管ソケットから電源の供給をうける部位のそれぞれの部位が制御回路を具備している。
そして、制御回路を必要としない商用電源コンセントから直接に電源の供給を受ける部位と、蛍光灯器具が具備する常夜灯用白熱電球ソケットから電源の供給を受ける部位は制御回路を具備しない。
【００１７】
制御回路を具備するいずれの部位であっても、制御回路を具備しないいずれの部位であっても、ＬＥＤ電球保持具に固着するか、若しくは着脱可能に装着することができる。また、ＬＥＤ電球保持具の構造体は、いずれの部位であっても装着することができるソケットを具備することが可能である。
【００１８】
蛍光灯器具が直管形蛍光灯器具の場合にＬＥＤ電球保持具が蛍光灯ソケットから電源の供給を受ける時以外は、ＬＥＤ電球保持具が蛍光灯器具に保持されるために蛍光灯ソケットに差し込まれるピンは、安全のために電気絶縁する必要がある。
【００１９】
請求項３は、直管形蛍光灯器具用のＬＥＤ電球保持具が、ＬＥＤ電球保持具の構造体の長手方向の長さを調整できるアジャスト装置を具備することもでき、該アジャスト装置を長手方向に調整することによって、蛍光灯ソケット間の長さが違う種類の蛍光灯器具それぞれに装着することもできる。
【００２０】
請求項４は、蛍光灯器具が環状蛍光灯器具の場合のＬＥＤ電球保持具である。このＬＥＤ電球保持具は、略棒状部材で構成された略環状フレーム構造である。
そして、電球ソケットは個着するか、首振り可能であるか、1軸の軸回りで回動可能であるか、直交する２軸それぞれで回動可能であるか、もしくは、それらを組み合わせた構造である。
また、直管形蛍光灯器具の場合のＬＥＤ電球保持具と同様に、必要に応じて前記制御回路を具備し、若しくは、ＬＥＤ電球の点灯／消灯スイッチと新たな常夜灯を具備することも可能である。
【００２１】
このＬＥＤ電球保持具は、環状蛍光灯と概同様に、環状蛍光灯器具に具備された環状蛍光灯用ランプホルダーに固着されるか、若しくは、着脱可能に安定して保持される。環状蛍光灯器具に二組以上の環状蛍光灯用ランプホルダーがある場合、前記保持具の重量が過剰な場合や、地震に対する安全率を大きくしたい時などに、二組以上の環状蛍光灯器具用ランプホルダーでこのＬＥＤ電球保持具を保持することもできる。
【００２２】
電源供給方法の一つは、蛍光灯ソケットから、または、点灯管ソケットから電源の供給を受ける場合である。ＬＥＤ電球保持具は、それらの電源をＬＥＤ電球が使用できる電源に制御する制御回路を保持具構造体に内蔵することができる。また、その制御回路は、保持具構造体へ着脱可能に装着することもできる。
若しくは、蛍光灯器具の安定器が所定の改造されることによりＬＥＤ電球の使用可能な電源となり蛍光灯ソケットを介しＬＥＤ電球へ供給される。
【００２３】
そして、制御回路がＬＥＤ電球保持具の構造体に着脱可能な場合として、蛍光灯ソケットから電源の供給をうける部位、及び点灯管ソケットから電源の供給をうける部位のそれぞれの部位は制御回路を具備している。
しかし、制御回路を必要としない商用電源コンセントから直接に電源の供給を受ける部位と、蛍光灯器具が具備する常夜灯用白熱電球ソケットから電源の供給を受ける部位は制御回路を具備していない。
【００２４】
制御回路を具備するいずれの部位であっても、制御回路を具備しないいずれの部位であっても、ＬＥＤ電球保持具に固着するか、若しくは着脱可能に装着することができる。また、ＬＥＤ電球保持具の構造体は、いずれの部位であっても装着することができるソケットを具備している。
【発明の効果】
【００２５】
本発明により、蛍光灯器具を改造することなく、若しくは、軽微な改造によって、簡単に本発明のＬＥＤ電球保持具を蛍光灯器具に装着でき、不便になることなくＬＥＤ蛍光灯より安価なＬＥＤ電球を使用できる。
【００２６】
また、首振り可能な複数個のＬＥＤ電球ソケットにより、必要なところに光を向けることができ、机上作業の利便性があがる。また、光が不要なところのＬＥＤ電球を外すことにより、細かな省エネ対策が可能となる。
【００２７】
ＬＥＤ電球ソケットは複数個具備されるので、白色系、電球色系を組み合わせ、そして、電球の方向に変化を与えることにより、照明器具としてのデザイン性を向上させることができる。また、電源の規格が合致すれば、電球形蛍光灯や白熱電灯も使用でき、更にデザイン性を向上させることができる。
【００２８】
ユーザーが所有する既存の蛍光灯器具だけでなく、メーカーが在庫で所有する蛍光灯器具に本発明を固着、または、着脱可能に装着し、新商品として販売することもできる。また、本発明を蛍光灯器具以外に取り付け新商品として販売することもできる。
【図面の簡単な説明】
【００２９】
【図１】本発明の実施例１に係る直管形蛍光灯器具用のＬＥＤ電球保持具を直管形蛍光灯器具へ装着した状態を示す図である。
【図２】本発明の実施例１に係る直管形蛍光灯器具用のＬＥＤ電球保持具を直管形蛍光灯器具から取り外した状態を示す図である。
【図３】本発明の実施例１に係る直管形蛍光灯器具用のＬＥＤ電球保持具から、ＬＥＤ電球を取り外した状態を示す図である。
【図４】本発明の実施例１に係る直管形蛍光灯器具用のＬＥＤ電球保持具が蛍光灯ソケットへ取り付く部位と電球ソケットが直交する2軸のそれぞれの軸回りで回動可能に取り付く部位の詳細図である。
【図５】直交する2軸のそれぞれの軸回りで回動可能に取り付く部位と電球ソケットとの保持状態を示す背面図である。
【図６】本発明の実施例２に係る環状蛍光灯器具用のＬＥＤ電球保持具にＬＥＤ電球を装着した状態を示す図である。
【図７】本発明の実施例２に係る環状蛍光灯器具用のＬＥＤ電球保持具からＬＥＤ電球を取り外した状態を示す図である。
【図８】本発明の実施例３に係る環状蛍光灯器具用のＬＥＤ電球保持具にＬＥＤ電球を装着した状態を示す図である。
【図９】本発明の実施例３に係る環状蛍光灯器具用のＬＥＤ電球保持具からＬＥＤ電球を取り外した状態を示す図である。
【図１０】本発明の実施例４に係る電源供給を受ける４種類の部位が着脱可能である事例を示す図である。
【図１１】参考のために、既存の直管形蛍光灯器具を示す図である。
【発明を実施するための形態】
【実施例１】
【００３０】
図１に当発明の実施例の一つを示す。この形態は、図１１に示す直管形蛍光灯器具に、直管形蛍光灯器具用のＬＥＤ電球保持具を装着してある。また、電源の供給を直管形蛍光灯ソケットから３ａを介して受ける場合である。
【００３１】
図１、図４に示すように、蛍光灯ソケット１１ａと嵌合する部位３ａは、通常の直管形蛍光灯の口金と概ね同じであり、蛍光灯ソケット１１ａから蛍光灯用電源の供給を受け、ＬＥＤ電球保持具全体を保持し、着脱可能となっている。
【００３２】
また、直管形蛍光灯器具に二対の蛍光灯ソケットがある場合、重量、強度、剛性上必要であれば、一対の蛍光灯ソケット１１ａでＬＥＤ電球保持具全体を保持するのでなく、二対の蛍光灯ソケット１１ａで保持することも可能である。
【００３３】
保持具構造体１ａは、軽量で必要な剛性、強度、耐熱性を持つアルミ等の材質であり、剛性、強度を考慮したフレームを構成している。また、保持具構造体１ａは中空であり配線用スペースとして利用され、デザイン性のために保持具構造体１ａの外配線は最小にしている。
【００３４】
部位３ａは制御回路を内蔵する部位４と固着、若しくは回動可能に挿着されている。回動可能にすることにより、部位３ａが蛍光灯ソケットに挿入しやすくなり、保持具構造体１ａを回動することにより照明方向を変えることができる。
【００３５】
部位４が内蔵する制御回路は、蛍光灯器具から供給された蛍光灯用電源を、ＬＥＤ電球ソケット５を介してＬＥＤ電球２が使用できる電源に制御する。回路の詳細は、複数の先行技術の中で蛍光灯形ＬＥＤランプ内の制御回路が提案されているのでここでは省略する。
【００３６】
部位４が内蔵する制御回路により制御された電源は、保持具構造体１ａ内の配線によりＬＥＤ電球ソケット５へ供給される。ＬＥＤ電球ソケット５は、所定の範囲内で首振り可能であり、照明の方向を所定の範囲内で任意に変えることができる。
【００３７】
ＬＥＤ電球ソケット５は、中径のＥ２６型用、小径のＥ１７型用が通常使用される。本発明では、一種類のソケットしか使用していないが、蛍光灯器具のランプカバーの納まりに合わせて小径の電球ソケットを採用することができる。また、複数の異なる電球ソケット径を採用することにより照明器具としてのデザイン性を向上することもできる。
【００３８】
図４、図５に示すように、ＬＥＤ電球ソケット５は首振り可能に保持される。当実施例では、所定の範囲内で概垂直方向に回動するための首振り支持部位６ａと、所定の範囲内で概水平方向に回動するための首振り支持部位６ｂの直交する２軸で支持されている。
【００３９】
蛍光灯ソケット１１ａからＬＥＤ電球ソケット５までの配線は省略されているが、極力保持具構造体１ａ内に配線され、保持具構造体１ａの外の配線は最小になるようにし、照明器具としてのデザイン性に配慮している。
【実施例２】
【００４０】
図６に当発明の二つ目の実施例を示す。この形態は、環状蛍光灯器具用のＬＥＤ電球保持具である。図７はＬＥＤ電球を取り外した状態の、環状蛍光灯器具用のＬＥＤ電球保持具である。また、電源の供給を環状蛍光灯ソケットから３ｂを介して受ける場合である。
【００４１】
図６、図７に示すように、環状蛍光灯ソケットと嵌合する部位３ｂは、通常の環状蛍光灯の口金と概ね同じであり、環状蛍光灯ソケットから蛍光灯用電源の供給を受ける。
【００４２】
保持具構造体１ｂは、通常の環状蛍光灯器具が具備する環状蛍光灯ランプホルダーに通常の環状蛍光灯と同様に装着される。
また、環状蛍光灯器具は通常蛍光灯２本分のランプホルダーを具備する。重量、強度、剛性上必要であれば、２本分のランプホルダーによって一つの保持具構造体１ｂを保持する方法も可能である。
【００４３】
保持具構造体１ｂは、軽量で必要な剛性、強度、耐熱性もつアルミ等の材質であり、剛性、強度を考慮した環状フレームで構成されている。また、保持具構造体１ｂは中空であり配線用スペースとして利用され、デザイン性のために保持具構造体１ｂの外配線は最小にされている。
【００４４】
部位３ｂは制御回路を内蔵する部位４に固着している。部位３ｂの軸部分は蛇腹状となっていて環状蛍光灯器具の蛍光灯ソケットの所定の方向に簡便に差し込むことができる。
【００４５】
部位４が内蔵する制御回路は、蛍光灯器具から供給された蛍光灯用電源を、ＬＥＤ電球ソケット５を介してＬＥＤ電球２が使用できる電源に制御する。
【００４６】
部位４が内蔵する制御回路により制御された電源は、保持具構造体１ｂ内の配線によりＬＥＤ電球ソケット５へ供給される。ＬＥＤ電球ソケット５は、所定の範囲内で首振り可能であり、照明の方向を所定の範囲内で任意に変えることができる。
【００４７】
また、ＬＥＤ電球ソケット５は、中径のＥ２６型用、小径のＥ１７型用が通常使用される。当実施例では、一種類のソケットしか使用していないが、蛍光灯器具のランプカバーの納まりに合わせて小径の電球ソケットを使用することができる。複数の異なる電球ソケット径を採用することにより照明器具としてのデザイン性を向上することもできる。
【００４８】
ＬＥＤ電球ソケット５は、首振り可能に保持される。当実施例では、所定の範囲内で概垂直方向に回動するための首振り支持部位６ａと、所定の範囲内で概水平方向に回動するための首振り支持部位６ｂの直交する２軸で支持されている。
【００４９】
蛍光灯ソケットからＬＥＤ電球ソケット５までの配線は省略されているが、極力保持具構造体１ｂ内に配線され、保持具構造体１ｂの外の配線は最小になるようにし、照明器具としてのデザイン性に配慮している。
【実施例３】
【００５０】
図８に当発明の三つ目の実施例を示す。この形態は、環状蛍光灯器具用のＬＥＤ電球保持具である。図９はＬＥＤ電球を取り外した状態の環状蛍光灯器具用のＬＥＤ電球保持具である。また、電源の供給を常夜灯用白熱電球ソケットから３ｃを介して受ける場合である。
【００５１】
図８、図９に示すように、常夜灯用白熱電球ソケットと嵌合する部位３ｃ１は、通常の常夜灯用白熱電球の口金と概ね同じであり、常夜灯用白熱電球ソケットから商用電源と概ね同じ電源の供給を受ける。
【００５２】
保持具構造体１ｂは、通常の環状蛍光灯器具が具備する環状蛍光灯ランプホルダーに通常の環状蛍光灯と同様に装着される。
また、環状蛍光灯器具は通常蛍光灯２本分のランプホルダーを具備する。重量、強度、剛性上必要であれば、２本分のランプホルダーによって一つの保持具構造体１ｂを保持する方法も可能である。
【００５３】
保持具構造体１ｂは、軽量で必要な剛性、強度、耐熱性もつアルミ等の材質であり、剛性、強度を考慮した環状フレームで構成されている。また、保持具構造体１ｂは中空であり配線用スペースとして利用され、デザイン性のために保持具構造体１ｂの外配線は最小にされている。
【００５４】
部位３ｃは部位４ａに固着するか、または、着脱可能である。
【００５５】
ＬＥＤ電球ソケット５は、所定の範囲内で首振り可能であり、照明の方向を所定の範囲内で任意に変えることができる。
【００５６】
また、ＬＥＤ電球ソケット５は、中径のＥ２６型用、小径のＥ１７型用が通常使用される。本発明では、一種類のソケットしか使用していないが、蛍光灯器具のランプカバーの納まりに合わせて小径の電球ソケットを使用することができる。複数の異なる電球ソケット径を採用することにより照明器具としてのデザイン性を向上することもできる。
【００５７】
ＬＥＤ電球ソケット５は、首振り可能に保持される。当実施例では、所定の範囲内で概垂直方向に回動できるように首振り支持部位６ａと、所定の範囲内で概水平方向に回動できるように首振り支持部位６ｂの直交する２軸で支持されている。
【００５８】
蛍光灯ソケットからＬＥＤ電球ソケット５までの配線は省略されているが、極力保持具構造体１ｂ内に配線され、保持具構造体１ｂの外の配線は最小になるようにし、照明器具としてのデザイン性に配慮している。
【００５９】
部位４ａは、ＬＥＤ電球オンオフスイッチング装置を内蔵し、新たに常夜灯も具備できる。部位４ｂは、ＬＥＤ電球をオンオフするためのスイッチである。
【実施例４】
【００６０】
図１０に電源供給を受ける数種類の部位の実施例を示す。それらは、常夜灯用白熱電球ソケットから電源を受ける部位３Ｃ、直接に商用電源から電源を受ける部位３ｅ、環状蛍光灯ソケットから電源を受ける部位３ｆ、点灯管ソケットから電源を受ける部位３ｄである。
【００６１】
部位３ｃ、３ｄ、３ｅ、３ｆは、保持具構造体４ａのソケット７に着脱可能である。口金部分３ｃ２、３ｄ２、３ｅ２、３ｆ２は回転自在であり、ケーブルが捩れること無く、ソケット７に捩じ込むことができる。
環状蛍光灯ソケットから電源を受ける部位３ｆ、点灯管ソケットから電源を受ける部位３ｄそれぞれは、電源を制御する制御回路３ｆ３、３ｄ３を具備している。
【００６２】
電源を受ける部位３ｃ、３ｄ、３ｅによる、電源供給を受ける方法は、直管形蛍光灯器具にも使用できる。但し、この場合、直管形蛍光灯ソケットに装着されるピンは安全のために電気絶縁をする必要がある。
【符号の説明】
【００６３】
１      ＬＥＤ電球保持具
１ａ    直管形蛍光灯器具用のＬＥＤ電球保持具構造体
１ｂ    環状蛍光灯器具用のＬＥＤ電球保持具構造体
２      ＬＥＤ電球
３      電源供給を受ける部位
３ａ    直管形蛍光灯ソケットから電源供給を受け、保持具全体を保持する部位
３ｂ    環状蛍光灯ソケットから電源供給を受ける部位
３ｃ    保持具構造体に着脱可能な、常夜灯用白熱電球ソケットから電源供給を受ける部位
３ｃ１  常夜灯用白熱電球ソケットに螺合する口金
３ｃ２  保持具構造体内配線へ繋がるソケットに螺合する口金
３ｄ    保持具構造体に着脱可能な、点灯管ソケットから電源供給を受ける部位
３ｄ１  点灯管ソケットに螺合する口金
３ｄ２  保持具構造体内配線へ繋がるソケットに螺合する口金
３ｄ３  ＬＥＤ電球が使用できる電源に制御するための制御回路
３ｅ    保持具構造体に着脱可能な、直接に商用電源コンセントから電源供給を受ける部位
３ｅ１  商用電源コンセント用のプラグ
３ｅ２  保持具構造体内配線へ繋がるソケットに螺合する口金
３ｆ     保持具構造体に着脱可能な、環状蛍光灯ソケットから電源供給を受ける部位
３ｆ１   環状蛍光灯ソケットに装着する口金
３ｆ２   保持具構造体内配線へ繋がるソケットに螺合する口金
３ｆ３   ＬＥＤ電球が使用できる電源に制御するための制御回路
４      制御回路が内蔵された部位
４ａ    ＬＥＤ電球のオンオフスイッチング回路が内蔵された部位
４ｂ    ＬＥＤ電球のオンオフスイッチ
５      ＬＥＤ電球ソケット
６      直交する2軸のそれぞれの軸回りで回動可能な部位
６ａ    略上下方向の回動支持部位
６ｂ    略水平方向の回動支持部位
７      保持具構造体内配線へ繋がるソケット
１１    直管形蛍光灯器具
１１ａ  直管形蛍光灯器具の蛍光灯ソケット
【手続補正２】
【補正対象書類名】特許請求の範囲
【補正対象項目名】全文
【補正方法】変更
【補正の内容】
【特許請求の範囲】
【請求項１】
ＬＥＤ電球が装着可能で、該ＬＥＤ電球が使用可能な電源を供給する電球ソケットが一つ以上固着され、及び／または、所定の範囲で首振り可能に持着され、及び／または、所定の範囲で1軸の軸回りで回動可能に持着され、及び／または、所定の範囲で直交する2軸のそれぞれの軸回りで回動可能に持着された構造体で、
該構造体は、一つ以上の略棒状部材で構成された略ラダーフレーム構造体で、
直管形蛍光灯器具の少なくとも一対の蛍光灯ソケットに固着されるか、または、着脱可能に保持され、
前記電源は、商用電源、前記蛍光灯器具の常夜灯用白熱電球ソケット、前記蛍光灯器具の蛍光灯ソケット、及び前記蛍光灯器具の点灯管ソケットのいずれか一つから供給を受け、
前記蛍光灯ソケット、または、前記点灯管ソケットから前記電源の供給を受ける場合は、
前記電源を前記ＬＥＤ電球が使用可能な電源にするために、前記電源を制御する制御回路を具備するか、または、前記蛍光灯器具が具備する所定の装置を改造することを特徴とするＬＥＤ電球保持具。
【請求項２】
前記蛍光灯ソケットから電源供給を受け、該電源を前記ＬＥＤ電球が使用可能な電源にするための制御回路を具備し、前記蛍光灯ソケットに着脱可能な部位３ｆと、
前記点灯管ソケットから電源供給を受け、該電源を前記ＬＥＤ電球が使用可能な電源にするための制御回路を具備し、前記点灯管ソケットに着脱可能な部位３ｄと、
前記商用電源から電源供給を受け、前記商用電源のソケットに着脱可能な部位３ｅと、
前記常夜灯用白熱電球ソケットから電源供給を受け、前記常夜灯用白熱電球ソケットに着脱可能な部位３ｃと、を付属し、または、付属可能で、
前記部位３ｆ、３ｄ、３ｅ、３ｃのいずれもが、または、いずれか一つが着脱可能な装着口を具備可能であることを特徴とする請求項１に記載のＬＥＤ電球保持具。
【請求項３】
前記直管形蛍光灯器具の一対の前記蛍光灯ソケットの間を結ぶ略直線の方向に、前記ＬＥＤ電球保持具の前記構造体の長さが調整可能であることを特徴とする請求項１または２に記載のＬＥＤ電球保持具。
【請求項４】
ＬＥＤ電球が装着可能で、該ＬＥＤ電球が使用可能な電源を供給する電球ソケットが一つ以上固着され、及び／または、所定の範囲で首振り可能に持着され、及び／または、所定の範囲で1軸の軸回りで回動可能に持着され、及び／または、所定の範囲で直交する2軸のそれぞれの軸回りで回動可能に持着された構造体で、
該構造体は、一つ以上の略棒状部材で構成された略環状フレーム構造体で、
環状蛍光灯器具の少なくとも一組の環状蛍光灯用ランプホルダーに固着されるか、または、着脱可能に保持され、
前記電源は、商用電源、前記環状蛍光灯器具の常夜灯用白熱電球ソケット、前記環状蛍光灯器具の蛍光灯ソケット、及び前記環状蛍光灯器具の点灯管ソケットのいずれか一つから供給を受け、
前記環状蛍光灯器具の前記蛍光灯ソケットから電源の供給を受ける場合は、前記環状蛍光灯器具が具備する所定の装置を改造するか、該電源を前記ＬＥＤ電球が使用可能な電源にするための制御回路を具備するか、該制御回路を具備し該蛍光灯ソケットに着脱可能な部位３ｆを介して電源の供給を受け、
前記環状蛍光灯器具の前記点灯管ソケットから電源の供給を受ける場合は、前記環状蛍光灯器具が具備する所定の装置を改造するか、該電源を前記ＬＥＤ電球が使用可能な電源にするための制御回路を具備するか、該制御回路を具備し該点灯管ソケットに着脱可能な部位３ｄを介して電源の供給を受け、
前記商用電源から電源供給を受け該商用電源のソケットに着脱可能な部位３ｅと、前記環状蛍光灯器具の前記常夜灯用白熱電球ソケットから電源供給を受け該常夜灯用白熱電球ソケットに着脱可能な部位３ｃと、前記部位３ｆと、前記部位３ｄと、を付属し、または、付属可能で、
前記部位３ｆ、３ｄ、３ｅ、３ｃのいずれもが、または、いずれか一つが着脱可能な装着口を具備可能であることを特徴とするＬＥＤ電球保持具。